(57)【要約】      （修正有）【課題】部品点数が少なく単純な構成の消火訓練用標的器を提供する。【解決手段】近接して並設された一対の円筒体１０，１０と、両円筒体１０を支持する支持体３０とを備え、円筒体１０は、その中心軸１１が上下方向になるように配置されるとともに、その中心軸１１回りに回転可能に構成する。さらに、円筒体１０の外周面２０には、燃焼状態であることを示す燃焼領域と、鎮火状態であることを示す鎮火領域とが存在しており、両円筒体１０は、両者の間に向けて放射された水の圧力により、互いに反対方向に回転し、燃焼領域と鎮火領域が順次正面に位置するように構成する。【選択図】図１
0003170593.tif 000002
【実用新案登録請求の範囲】
【請求項１】
近接して並設された一対の円筒体と、前記両円筒体を支持する支持体とを備え、
前記円筒体は、その中心軸が上下方向になるように配置されるとともに、その中心軸回りに回転可能に構成されており、
前記円筒体の外周面には、燃焼状態であることを示す燃焼領域と、鎮火状態であることを示す鎮火領域とが存在しており、
前記両円筒体は、両者の間に向けて放射された水の圧力により、互いに反対方向に回転し、前記燃焼領域と前記鎮火領域が順次正面に位置するように構成された
ことを特徴とする消火訓練用標的器。
【請求項２】
前記円筒体の下部には、フィンが放射状に設けられている
ことを特徴とする請求項１に記載の消火訓練用標的器。
【請求項３】
前記フィンは、一枚の板材を折り曲げて形成されており、前記円筒体の下端部に固定されている
ことを特徴とする請求項１または請求項２に記載の消火訓練用標的器。
【請求項４】
前記円筒体の外周面には、炎の絵が円周方向に向かうに連れて高さが徐々に低くなってなくなるように描かれており、
前記炎がある部分が前記燃焼領域を構成し、前記炎がない部分が前記鎮火領域を構成する
ことを特徴とする請求項１乃至請求項３のいずれか１項に記載の消火訓練用標的器。
【請求項５】
前記支持体は、前記円筒体を収容可能な箱状に形成されるとともに内部を視認するための窓開口部と内部に放水するための放水開口部とを備えており、
前記放水開口部から内部に入り込んだ水の圧力によって、前記両円筒体が回転する
ことを特徴とする請求項１乃至請求項４のいずれか１項に記載の消火訓練用標的器。
【請求項６】
前記支持体は、前記鎮火領域が正面に位置したときに前記円筒体の回転をストップさせるストッパを備えている
ことを特徴とする請求項１乃至請求項５のいずれか１項に記載の消火訓練用標的器。
【請求項７】
前記支持体は、警告音を発する警告音発生装置を備えており、
前記警告音発生装置には、前記鎮火領域が正面に位置したときに警告音を消音する消音手段が設けられている
ことを特徴とする請求項１乃至請求項６のいずれか１項に記載の消火訓練用標的器。
【請求項８】
一対の前記円筒体は、同期して回転するように構成されている
ことを特徴とする請求項１乃至請求項７のいずれか１項に記載の消火訓練用標的器。
【考案の詳細な説明】
【技術分野】
【０００１】
本考案は、消火訓練用標的器に関する。
【背景技術】
【０００２】
従来の消火訓練では、実際にガソリン等で火を発生させ、消火剤を充填した消火器を使用していた。しかしながら、この場合、実際に火を発生させることにより、周囲の環境に配慮する必要があるとともに、消火剤による周囲の汚れの発生や、使用後の薬剤やガスを充填しなければならない等のデメリットがあった。そこで、近年では、水を充填した消火器を使用した消火訓練が行われており、この消火訓練では、標的として、例えば、特許文献１，２に示すような炎の絵を描いた擬似標的（消火訓練用標的器）が用いられている。
【０００３】
特許文献１および２に記載された擬似標的は、水平方向に軸支された回転ドラムを水消火器で放射された水の圧により回転させ、その回転によって、模擬火炎が表示されたシートを巻き下げて、火炎が消えて行くように見せるものである。シートには、おもりが取り付けられており、巻き下げられたシートが引き上げられるように構成されている。
【先行技術文献】
【特許文献】
【０００４】
【特許文献１】実用新案登録第３１４７６４４号公報
【特許文献２】実用新案登録第３１５９７１７号公報
【考案の概要】
【考案が解決しようとする課題】
【０００５】
しかしながら、特許文献１，２に記載された擬似標的は、おもりやシートの巻取り機構など、部品点数が多く構成が複雑である問題があった。
【０００６】
そこで、本考案は、前記問題を解決するために案出されたものであり、部品点数が少なく単純な構成の消火訓練用標的器を提供することを課題とする。
【課題を解決するための手段】
【０００７】
前記課題を解決するための本考案は、近接して並設された一対の円筒体と、前記両円筒体を支持する支持体とを備え、前記円筒体は、その中心軸が上下方向になるように配置されるとともに、その中心軸回りに回転可能に構成されており、前記円筒体の外周面には、燃焼状態であることを示す燃焼領域と、鎮火状態であることを示す鎮火領域とが存在しており、前記両円筒体は、両者の間に向けて放射された水の圧力により、互いに反対方向に回転し、前記燃焼領域と前記鎮火領域が順次正面に位置するように構成されたことを特徴とする消火訓練用標的器である。
【０００８】
このような構成によれば、部品点数が少なく簡単な構成で消火訓練用標的器を形成することができ、水消火器で円筒体に向けて放水して円筒体を回転させることで燃焼状態から鎮火状態に変化させて消火訓練を行える。
【０００９】
請求項２に係る考案は、前記円筒体の下部には、フィンが放射状に設けられていることを特徴とする。
【００１０】
このような構成によれば、燃焼部となる下部を狙えば効率的に円筒体が回転し短時間で鎮火状態となるので、実際の炎の性状に則した消火訓練を行うことができる。
【００１１】
請求項３に係る考案は、前記フィンは、一枚の板材を折り曲げて形成されており、前記円筒体の下端部に固定されていることを特徴とする。
【００１２】
このような構成によれば、フィンの製造が容易であるとともに、軽量化も図れる。
【００１３】
請求項４に係る考案は、前記円筒体の外周面には、炎の絵が円周方向に向かうに連れて高さが徐々に低くなってなくなるように描かれており、前記炎がある部分が前記燃焼領域を構成し、前記炎がない部分が前記鎮火領域を構成することを特徴とする。
【００１４】
このような構成によれば、炎の絵が回転することにより、正面に現れる炎の高さが徐々に低くなるので、消火作業の臨場感を得ることができる。
【００１５】
請求項５に係る考案は、前記支持体は、前記円筒体を収容可能な箱状に形成されるとともに内部を視認するための窓開口部と内部に放水するための放水開口部とを備えており、前記放水開口部から内部に入り込んだ水の圧力によって、前記両円筒体が回転することを特徴とする。
【００１６】
実際の炎を消火する場合には、炎の下部に放水するのが効果的であるところ、前記のような構成によれば、支持体下部の放水開口部に水が入ったときに円筒体が回転するようになるので、実際の炎の性状に則した消火訓練を行うことができる。
【００１７】
請求項６に係る考案は、前記支持体が、前記鎮火領域が正面に位置したときに前記円筒体の回転をストップさせるストッパを備えていることを特徴とする。
【００１８】
このような構成によれば、鎮火状態が表示された後に、回転し過ぎて再び燃焼領域が現れることがない。
【００１９】
請求項７に係る考案は、前記支持体が、警告音を発する警告音発生装置を備えており、前記警告音発生装置には、前記鎮火領域が正面に位置したときに警告音を消音する消音手段が設けられていることを特徴とする。
【００２０】
このような構成によれば、消火訓練の緊迫感を演出できるとともに、消火作業の完了（鎮火状態）を訓練実施者に認識させることができる。
【００２１】
請求項８に係る考案は、一対の前記円筒体が、同期して回転するように構成されていることを特徴とする。
【００２２】
このような構成によれば、左右の円筒体が同時に鎮火領域を表示するようになる。また、左右の円筒体の炎の高さを対称的に描いておけば、炎の高さが左右で揃うようになるので、臨場感をより一層高めることができる。
【考案の効果】
【００２３】
本考案によれば、部品点数が少なく単純な構成の消火訓練用標的器を提供することができる。
【図面の簡単な説明】
【００２４】
【図１】本考案の実施形態に係る消火訓練用標的器を示した一部破断斜視図である。
【図２】本考案の実施形態に係る消火訓練用標的器の内部を示した正面図である。
【図３】円筒体の外周面を示した展開図である。
【図４】本考案の実施形態に係る消火訓練用標的器を示した断面図である。
【図５】本考案の実施形態に係る消火訓練用標的器の内部を示した上面図である。
【図６】本考案の実施形態に係る消火訓練用標的器を示した正面図である。
【図７】本考案の第二の実施形態に係る消火訓練用標的器を示した一部破断斜視図である。
【図８】本考案の第二の実施形態に係る消火訓練用標的器の円筒体とフィンを示した分解斜視図である。
【図９】本考案の第二の実施形態に係る消火訓練用標的器のフィンの板材を示した図であって、（ａ）は折り曲げ前の板材を示した平面図、（ｂ）は折り曲げ後の板材（フィン）を示した平面図である。
【考案を実施するための形態】
【００２５】
本考案の実施形態に係る消火訓練用標的器は、水を充填した水消火器を使用した消火訓練において、放水する標的として使用されるものである。図１に示すように、かかる消火訓練用標的器１は、近接して並設された一対の円筒体１０，１０と、両円筒体１０を支持する支持体３０とを備えている。円筒体１０は、その中心軸１１が上下方向になるように配置されており、その中心軸１１回りに回転可能となっている。円筒体１０は、中心軸１１と一体的に中心軸１１回りに回転する。
【００２６】
図１および図２に示すように、支持体３０は、箱状に形成されており、円筒体１０は、支持体３０の内部に収容されている。支持体３０は、例えば縦４８０ｍｍ、横３５０ｍｍ、奥行２００ｍｍの大きさとなっている。支持体３０は、上端が開口した収容部３１と、収容部３１の開口を塞ぐ蓋部３２とを備えて構成されている。収容部３１の上部と下部には、中心軸１１を支持する上部支持板３３ａと下部支持板３３ｂがそれぞれ設けられている。上部支持板３３ａと下部支持板３３ｂは、水平に設けられた板部材からなり、下部支持板３３ｂで中心軸１１の下端部を回転可能に支持し、上部支持板３３ａで中心軸１１の上端部を回転可能に支持する。なお、中心軸１１の上端は、蓋部３２を貫通して上部に露出している。中心軸１１の上端には袋ナット状の把持部４０が装着されている。蓋部３２の上面には、取っ手４１が取り付けられている。なお、把持部４０を把持して回転させることで、回転軸１１が回転し、円筒体１０を回転させることができる。
【００２７】
収容部３１の正面には、その内部を視認可能な窓開口部３４と内部に放水するための放水開口部３５が形成されている。窓開口部３４は、互いに近接している一対の円筒体１０，１０の近接部分を幅方向中心として、近接部分と円筒体１０，１０の外周面が外部から視認できる位置に開口している。放水開口部３５は、窓開口部３４の下方に形成されており、後記するフィン１２に対応する位置に開口している。放水開口部３５は、窓開口部３４よりも小さい面積で、円筒体１０，１０の近接部分を中心として中心軸１１，１１間に位置するフィン１２が外部と連通されるようになっている。
【００２８】
図３の展開図に示すように、円筒体１０の外周面２０には、燃焼状態であることを示す燃焼領域２１と、鎮火状態であることを示す鎮火領域２２とが存在している。具体的には、外周面２０には、炎の絵が円周方向に向かうに連れて高さが徐々に低くなってなくなるように描かれている。炎がある部分が燃焼領域２１を構成し、炎がない部分が鎮火領域２２を構成する。本実施形態では、鎮火領域２２には、「鎮火」の文字が大きく記載されている。なお、鎮火領域２２の表示は「鎮火」の文字に限定されるものではなく、別の文字であってもよいし、文字ではなく模様や絵であってもよい。
【００２９】
二つの外周面２０を展開した状態で、炎の絵は、二つの外周面２０，２０の中間部を中心として対称的に描かれており、両端部に鎮火領域２２が位置している。燃焼領域２１では、二つの外周面２０，２０の中間部（他方の外周面２０側の端部）に近いほど炎の高さが高くなり、中間部から離れるほど（鎮火領域２２に近づくほど）炎の高さが低くなる。このような炎の絵が描かれた外周面２０の円筒体１０を隣り合わせると、炎の高さが高い部分が互いに近接したときは、炎が高く大きく燃焼している状態を表す（図１参照）。この状態が消火活動開始前の高燃焼状態となる。各円筒体１０が回転すると、正面に対向する炎の絵の高さが徐々に低くなり、炎が消えて行く状態を示す。この状態が消火活動を行っている消火状態となる。各円筒体１０がさらに回転すると、炎の絵が後方に移動して、鎮火領域２２が正面に対向する（図６参照）。
【００３０】
円筒体１０の下部には、フィン１２が放射状に設けられている。フィン１２は、円筒体１０の径方向に沿って放射状に延在している。フィン１２は、窓開口部３４から見える部分（外周面２０）よりも下側で、放水開口部３５が開口する高さに位置している。フィン１２は、図４に示すように、円周方向に等角度ピッチで、径方向外側に向かって放射状に配置されている。フィン１２には、放水開口部３５から流入した水が当たり、その水圧によって円筒体１０が回転する。円筒体１０は、外周面２０の絵が支持体３０の幅方向両端から中間部の近接部分に向かって移動して、中間部から後方に巻き込まれるように回転する。これによって、炎の高さが徐々に低くなり、最終的に鎮火するように見える。
【００３１】
円筒体１０は、それぞれ中心軸１１周りに回転可能になっているが、隣り合う円筒体１０，１０間には、図示しない歯車などの同期機構が設けられており、円筒体１０，１０が互いに同期して反対方向に回転するようになっている。なお、円筒体１０の材質や製造方法は特に問われず、公知のものを用いればよい。
【００３２】
支持体３０は、鎮火領域２２が正面に位置したときに円筒体１０の回転をストップさせるストッパ３６を備えている。ストッパ３６は、円筒体１０の頂部に設けられた突起部１５が当接する当接部３７にて構成されている。当接部３７は上部支持板３３ａに取り付けられており、鎮火領域２２が正面に対向するときに突起部１５が当接する位置に配置されている。突起部１５および当接部３７は、二つの円筒体１０にそれぞれ形成されている。
【００３３】
支持体３０は、消火訓練作業中に警告音を発する警告音発生装置３８を備えている。警告音発生装置３８は、乾電池にて作動する。警告音発生装置３８は、例えば、ブザー音やベル音を発する装置であって、図示しないスイッチを手動で作動させることで、警告音が発生する。なお、警告音はブザー音やベル音に限定されるものではない。警告音発生装置３８は、鎮火領域２２が正面に位置したときに警告音を消音する消音手段を備えている。この消音手段は、当接部３７に設けられた押圧スイッチ３９にて構成されている。つまり、押圧スイッチ３９は当接部３７としての機能を兼用して備えており、円筒部１０の突起部１５が、押圧スイッチ３９に当接して押圧すると、円筒体１０の回転が停止されるとともに、警告音が消音されるように構成されている。
【００３４】
次に、前記構成の消火訓練用標的器１の使用状態を説明しながら、作用効果を説明する。
【００３５】
消火訓練用標的器１を使用する前に、図１および図２に示すように、燃焼領域２１のうち炎の高さが高い部分が互いに近接して正面に対向するように、円筒体１０を静止させておく。この状態で、水消火器を準備して、消火訓練を開始する。
【００３６】
消火訓練の開始時に、警告音発生装置３８を作動させて警告音を発生させて消火訓練を行う。このように警告音を発することで訓練実施者に緊迫感を与えることができる。警告音発生装置３８は乾電池を電源として用いているので、訓練場所に電源がなくても警告音を発することができる。訓練実施者は、水消火器を用いて、放水開口部３５に向けて放水を行う。ここで、水が放水開口部３５から内部に入り込むと、内部のフィン１２に水が当たり、フィン１２が押圧されて、円筒体１０が回転する。このとき、外周面２０の絵は、円筒体１０，１０の近接部分に向かって移動して、円筒体１０，１０の間から後方に巻き込まれるように回転する。すると、絵の炎の高さが徐々に低くなり、あたかも放水によって、炎が徐々に消火されているかのように見えるので、臨場感の高い消火訓練を行うことができる。このとき、円筒体１０，１０が同期して反対方向に回転するようになっているので、左右両側の炎の絵の高さが、同じ高さでバランスよく低くなっていくので、左右の円筒体１０，１０で炎の絵に段差が発生せず、より一層炎らしく表現できる。そして、最終的に鎮火領域２２が同時に表示される。
【００３７】
また、このとき、炎の下部となる放水開口部３５を狙って放水することでフィン１２に水が当たり、円筒体１０の回転が促進されるので、炎の火元となる下部を狙えば短時間で消火が進み鎮火状態となるので、実際の炎の性状に則した消火訓練を行うことができる。つまり、炎の火元となる下部の燃焼部の中心に放水すると消火が効率的に行われるように見え、より一層の臨場感を得ることができる。さらに、放水の位置が円筒体１０，１０の近接部分の中間部になると、水が円筒体１０の接線方向に沿って当たるので、円筒体１０の回転が早くなり、消火が早く行われるように見える。
【００３８】
放水を継続すると、さらに円筒体１０，１０が回転して、最終的に鎮火領域２２が正面を向く。すると、円筒体１０の突起部１５が当接部３７に当接して、円筒体１０の回転が停止される。これによって、円筒体１０が回転し過ぎず、燃焼領域２１が再び現れることがなく、「鎮火」の文字が正面に向かって確実に表示される。これと同時に、突起部１５が押圧スイッチ３９を押圧するので、警告音が消音される。これによって、完全に鎮火状態となり、消火訓練が完了したことを訓練実施者に認識させることができる。
【００３９】
以上のような構成の消火訓練用標的器１によれば、従来の標的器と比較して部品点数が少なく簡単な構成とすることができる。これによって、消火訓練用標的器１の小型化および軽量化が図れるので、保管スペースを小さくできるとともに、容易に運搬を行うことができる。
【００４０】
次に、第二の実施形態に係る消火訓練用標的器１ａを説明する。なお、第二実施形態では、前記実施形態と異なる部分のみを説明し、図７乃至図９において前記実施形態と同じ構成の部分は同じ符号を付して説明を省略する。
【００４１】
図７に示すように、第二実施形態の消火訓練用標的器１ａは、フィン１２ａの形状が前記実施形態と異なる。フィン１２ａは、例えば、アルミニウムまたはアルミニウム合金製或るいはステンレス製の一枚の板材１３（図８および図９参照）を折り曲げて形成されており、円筒体１０とは別体で構成されている。フィン１２ａは、円筒体１０の下端部に固定されている。フィン１２ａの材質や製造方法は前記のものに限定されるものではなく、他の材質や方法であってもよい。
【００４２】
図８および図９に示すように、板材１３は、水平部１３ａと垂下部１３ｂとから構成されている。水平部１３ａは、円筒体１０に固定された状態で水平になる部分である。水平部１３ａの外周縁部が円筒体１０下端部の内周面に当接して、接着剤によって円筒体１０に固定されている。垂下部１３ｂは、水平部１３ａに対して直交しており、円筒体１０に固定された状態で垂直になる部分である。垂下部１３ｂは、水平部１３ａの周縁部に沿って等ピッチで複数形成されている。この垂下部１３ｂがフィン１２ａを構成する。垂下部１３ｂは、円筒体１０の径方向から傾斜した状態で、放射状に形成されている。垂下部１３ｂの外周側端部は、外側に延出しており、円筒体１０の外周面よりも外側に突出する。垂下部１３ｂの延出部１３ｃは、円筒体１０の下端に形成された係止板１６の切欠部１６ａに挿入されて噛み合う。延出部１３ｃが切欠部１６ａに噛み合うことで、フィン１２ａの位置決めを容易にできるともに、固定強度の向上が図れる。
【００４３】
折り曲げ前の板材１３は、図９の（ａ）に示すように、平面状になっており、垂下部１３ｂとなる部分（図９の（ａ）で「１３ｂ」と図示している）が、等角度ピッチで配置されている。この部分を、水平部１３ａに対して直角に折り曲げることで、図９の（ｂ）に示すような形状となる。
【００４４】
図７に示すように、円筒体１０の中心軸１１は、一方のみが蓋部３２を貫通して上部に露出している。中心軸１１の上端には把持部４０が装着されており、この把持部４０を把持して回転させることで、回転軸１１が回転し、円筒体１０を回転させることができる。円筒体１０の上端部には、同期機構としてリング状のゴム部材１７が装着されている。ゴム部材１７は、各円筒体１０にそれぞれ設けられており、ゴム部材１７，１７の外周面同士が接触している。これによって、一方の円筒体１０が回転すると他方の円筒体１０も同期して回転する。なお、本実施形態では、放水開口部３５の形状が前記実施形態と異なっておりデザイン性を向上させている。図７中、「１８」は、警告音発生装置３８のスイッチを示している。
【００４５】
以上のような構成の消火訓練用標的器１ａによれば、前記実施形態と同様の作用効果の他に、以下のような作用効果が得られる。単純な構成の板材１３を折り曲げるだけでフィン１２ａが形成できるので、フィン１２ａの製造が容易である。さらに、部品点数が低減されるのでフィン１２ａ、ひいては消火訓練用標的器１ａ全体の軽量化も図れる。
【００４６】
以上、本考案の実施形態について説明したが、本考案の実施形態はこれに限定されるものではなく、本考案の趣旨を逸脱しない範囲で適宜変更が可能である。例えば、前記実施形態では、円筒体１０は二つ設けられているが、その個数は、これに限定されるものではない。２の倍数となる個数の多数の円筒体を設けてもよい。このようにすれば、広い範囲で複数の炎を想定した消火訓練を行うことができる。
【００４７】
また、中心軸１１に対する円筒体１０の回転摩擦力を調整できるように構成すれば、消火の難易度を調整することができる。具体的には、回転摩擦力を高くすることで、消火に時間がかかるとともに、円筒体の接線方向に近い角度で放水を行わなければ、消火訓練が終了しないので、消火の難易度が高くなる。
【００４８】
さらに、本実施形態では、フィン１２に放水することで、円筒体１０を回転させているが、フィン１２を設けずに外周面２０自体に放水することで円筒体を回転させる構成としてもよい。このような構成によれば、消火訓練用標的器１の構成をさらに簡単なものとすることができる。
【００４９】
また、本実施形態におけるフィン１２，１２ａの枚数は、前記実施形態で図示したものに限定されるものではなく、例えば１６枚に増加させるなど、適宜変更が可能である。
【符号の説明】
【００５０】
１      消火訓練用標的器
１０    円筒体
１１    中心軸
１２    フィン
２０    外周面
２１    燃焼領域
２２    鎮火領域
３０    支持体
３４    窓開口部
３５    放水開口部
３６    ストッパ
３８    警告音発生装置
３９    押圧スイッチ（消音手段）
１２ａ  フィン
１３    板材
【図１】
0003170593.tif 000003
【図２】
0003170593.tif 000004
【図３】
0003170593.tif 000005
【図４】
0003170593.tif 000006
【図５】
0003170593.tif 000007
【図６】
0003170593.tif 000008
【図７】
0003170593.tif 000009
【図８】
0003170593.tif 000010
【図９】
0003170593.tif 000011